(57)【特許請求の範囲】
【請求項１】
ｘＤＳＬ伝送速度を一方向から測定をするｘＤＳＬ伝送速度測
定装置であって、
前記ｘＤＳＬ伝送速度測定装置は、
ｘＤＳＬ伝送に使用される通信用線路からの周期的に雑音量が変化する雑音を
前記雑音の変化の周期に同期して前記周期毎に測定し、前記雑音の周波数特性を
解析する測定装置と、
前記測定装置の解析結果によりｘＤＳＬ伝送速度を解析する分析装置と、
を具備し、
前記分析装置は、
前記測定装置で測定された雑音の種別および前記雑音元の回線数を解析し、前記雑音の種別および前
記雑音元の回線数から前記通信線路の下り方向の雑音量を推定することにより、
周期的に変化する前記下り方向の雑音量に対応して前記ｘＤＳＬ下り伝送速度を
解析する、
ｘＤＳＬ伝送速度測定装置。
【請求項２】
請求項１に記載のｘＤＳＬ伝送速度測定装置において、
前記分析装置は、
前記雑音とデータベースの雑音モデルとのマッチング処理により前記雑音の種
別および前記雑音元の回線数を解析する、
ｘＤＳＬ伝送速度測定装置。
【請求項３】
請求項１に記載のｘＤＳＬ伝送速度測定装置において、
前記雑音は、ＴＣＭ−ＩＳＤＮからの周期的に変化する漏話雑音を含み、
前記測定装置は、
前記雑音を前記ＴＣＭ−ＩＳＤＮのバースト周期に同期するクロックを参照し
て前記雑音の変化の周期に同期して測定することにより、前記周期毎の前記雑音
の周波数特性を解析する、
ｘＤＳＬ伝送速度測定装置。
【請求項４】
請求項３に記載のｘＤＳＬ伝送速度測定装置において、
前記測定装置は、
前記通信用線路にインパルス信号を送出し、端末で反射された前記インパルス
信号を受信し、前記送出から前記受信までの時間で前記通信用線路の線路長を解
析し、
受信した前記インパルス信号の周波数成分を解析することにより前記通信用線
路の周波数特性を解析する、
ｘＤＳＬ伝送速度測定装置。
【請求項５】
請求項１に記載のｘＤＳＬ伝送速度測定装置において、
前記分析装置は、
前記通信用線路の周波数特性と前記雑音の周波数特性を使用し、周期的に変化
する前記雑音量に対応して前記ｘＤＳＬ上り伝送速度を解析する、
ｘＤＳＬ伝送速度測定装置。
【請求項６】
ｘＤＳＬ伝送速度を一方向から測定をするｘＤＳＬ伝送速度測
定方法であって、
インパルス信号を使用して通信用線路の線路長を解析するステップと、
前記インパルス信号を使用して前記通信用線路の周波数特性を解析するステッ
プと、
前記通信用線路からの雑音の周波数特性を解析するステップと、
前記通信用線路の周波数特性と前記雑音の周波数特性からｘＤＳＬ上り伝送速
度を解析するステップと、
前記雑音の種別と前記雑音元の回線数を解析するステップと、
前記雑音の種別と前記雑音元の回線数から下り方向の雑音量を推定し、ｘＤＳ
Ｌ下り伝送速度を解析するステップと、
で構成される、
ｘＤＳＬ伝送速度測定方法。
【請求項７】
請求項６に記載のｘＤＳＬ伝送速度測定方法において、
前記雑音の周波数特性を解析するステップは、
前記雑音が周期的に変化する環境において、前記雑音が変化する周期に同期し
て前記周期毎に前記雑音を測定することにより、前記周期毎の前記周波数特性を
解析することを含む、
ｘＤＳＬ伝送速度測定方法。
【請求項８】
請求項６に記載のｘＤＳＬ伝送速度測定方法において、
前記雑音の種別と前記雑音元の回線数を解析するステップは、
前記通信用線路からの雑音と雑音モデルとのマッチング処理により前記雑音の
種別と前記雑音元の回線数を解析することを含む、
ｘＤＳＬ伝送速度測定方法。
【請求項９】
請求項６に記載のｘＤＳＬ伝送速度測定方法において、
前記ｘＤＳＬ上り伝送速度を解析するステップおよび前記ｘＤＳＬ下り伝送速
度を解析するステップは、
周期的に変化する漏話雑音に対応して伝送速度を変化させるｘＤＳＬ装置のｘ
ＤＳＬ上り伝送速度を解析することおよび前記ｘＤＳＬ下り伝送速度を解析する
ことを含む、
ｘＤＳＬ伝送速度測定方法。
【発明の詳細な説明】
【０００１】
【発明の属する技術分野】
本発明は、ｘＤＳＬ伝送速度測定装置に関し、特に周期的に雑音量が変化する環境下におけるｘＤＳＬの伝送速度を測定するｘＤＳＬ伝送速度測定装置に関する。
【０００２】
【従来の技術】
ｘＤＳＬは、電話線等のメタルケーブルを使用し、数Ｍビット／秒の高速データ伝送を可能にする伝送方式である。ｘＤＳＬの代表的なものに、上りと下りで伝送速度が異なるＡＤＳＬ（非対称デジタル加入者線）がある。類似の技術としては、ＨＤＳＬ、ＳＤＳＬ、ＶＤＳＬなどがあり、伝送速度、速度の対称／非対称などの違いがある。これらを総称してｘＤＳＬと呼んでいる。
【０００３】
ｘＤＳＬでは、通常すでに接続している１対の電話加入者線（ペア線）を使用するが、一部のラインではループ伝送特性が不充分であるために、高速データ伝送ができない場合がある。このため、ｘＤＳＬのサービスを提供しているプロバイダは、サービスを提供する前にユーザーとの電話加入者線がｘＤＳＬサービスを提供できるか判断するためループ伝送特性を試験する必要がある。
【０００４】
通常、上記のループ伝送特性試験は、通信用線路に物理的にアクセスできない場合、通信用線路の端部で両方向測定を行なわなければならない。このため、通信用線路に物理的にアクセスできないプロバイダは、両方向測定をするためユーザーの端末に試験スタッフを派遣する必要がある。
【０００５】
そこで、通信用線路に物理的にアクセスできないプロバイダが、ユーザーの端末に試験スタッフを派遣しなくても試験可能な、一方向試験が開発さている。
この種試験装置として、例えば特開２０００−２０９３３８号公報に示される技術が知られている。
【０００６】
しかし、現在の一方向試験方法では、ＴＣＭ−ＩＳＤＮ漏話雑音環境下のような、周期的に雑音量が変化する環境下では、伝送速度を正確に測定することができない。これは、ＴＣＭ−ＩＳＤＮ回線では２００Ｈｚで伝送方向の切替を行なっており、ここからの漏話雑音も雑音量の多い近端漏話（ＮＥＸＴ）と雑音量の少ない遠端漏話（ＦＥＸＴ）が周期的に発生するためである。現在の一方向試験方法では、この雑音量の変化を考慮していない。
【０００７】
これに対し、ＴＣＭ−ＩＳＤＮ回線からの周期的に雑音量が変化する環境下に対応したｘＤＳＬモデムが開発されている。これは、デュアルビットマップ方式に代表される方式で、雑音量の多いＮＥＸＴの間は伝送量を少なく、雑音量の少ないＦＥＸＴの間は伝送量を多くする手段で伝送量を増やしている。
この場合、雑音量の周期的な変化を測定しなければ、このような周期的に雑音量が変化する環境下に対応したｘＤＳＬモデムの伝送速度の解析をすることができない。
【０００８】
【発明が解決しようとする課題】
本発明の目的は、周期的に雑音量が変化する環境下で伝送速度の一方向試験が可能なｘＤＳＬ伝送速度測定装置を提供することにある。
【０００９】
本発明の他の目的は、特にＴＣＭ−ＩＳＤＮ漏話雑音環境下で伝送速度一方向試験が可能なｘＤＳＬ伝送速度測定装置を提供することにある。
【００１０】
本発明のさらなる目的は、周期的に雑音量が変化する環境下で伝送速度一方向試験が可能なｘＤＳＬ伝送速度測定装置を使用して、周期的に変化する雑音に適応したｘＤＳＬ装置の伝送速度を正確に見積もることにある。
【００１１】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１２】
本発明のｘＤＳＬ伝送速度測定装置（７）は、ｘＤＳＬ伝送速度を一方向から測定をするｘＤＳＬ伝送速度測定装置（７）であって、ｘＤＳＬ伝送に使用される通信用線路（６）からの周期的に雑音量が変化する雑音を前記雑音の変化の周期に同期して前記周期毎に測定し、前記雑音の周波数特性を解析する測定装置（３）と、前記測定装置（３）の解析結果によりｘＤＳＬ伝送速度を解析する分析装置（４）とを具備する。
【００１３】
前記雑音は、ＴＣＭ−ＩＳＤＮからの周期的に変化する漏話雑音を含み、本発明の前記ｘＤＳＬ伝送速度測定装置（７）において、前記測定装置（３）は、前記雑音を前記ＴＣＭ−ＩＳＤＮのバースト周期に同期するクロックを参照して前記雑音の変化の周期に同期して測定することにより、前記周期毎の前記雑音の周波数特性を解析する。
【００１４】
本発明のｘＤＳＬ伝送速度測定装置（７）において、前記測定装置（３）は、前記通信用線路（６）にインパルス信号を送出し、端末（２）で反射された前記インパルス信号を受信し、前記送出から前記受信までの時間で前記通信用線路（６）の線路長を解析し、受信した前記インパルス信号の周波数成分を解析することにより前記通信用線路（６）の周波数特性を解析する。
【００１５】
本発明のｘＤＳＬ伝送速度測定装置（７）において、前記分析装置（４）は、前記通信用線路（６）の周波数特性と前記雑音の周波数特性を使用し、周期的に変化する前記雑音量に対応して前記ｘＤＳＬ上り伝送速度を解析する。
【００１６】
本発明のｘＤＳＬ伝送速度測定装置（７）において、前記分析装置（４）は、前記雑音の種別および前記雑音元の回線数を解析し、前記雑音の種別および前記雑音元の回線数から前記通信線路（６）の下り方向の雑音量を推定することにより、周期的に変化する前記下り方向の雑音量に対応して前記ｘＤＳＬ下り伝送速度を解析する。
【００１７】
本発明のｘＤＳＬ伝送速度測定装置（７）において、前記分析装置（４）は、前記雑音とデータベースの雑音モデルとのマッチング処理により前記雑音の種別および前記雑音元の回線数を解析する。
【００１８】
本発明のｘＤＳＬ伝送速度を一方向から測定をするｘＤＳＬ伝送速度測定方法は、インパルス信号を使用して通信用線路（６）の線路長を解析するステップと、前記インパルス信号を使用して前記通信用線路（６）の周波数特性を解析するステップと、前記通信用線路（６）からの雑音の周波数特性を解析するステップと、前記通信用線路（６）の周波数特性と前記雑音の周波数特性からｘＤＳＬ上り伝送速度を解析するステップと、前記雑音の種別と前記雑音元の回線数を解析するステップと、前記雑音の種別と前記雑音元の回線数から下り方向の雑音量を推定し、ｘＤＳＬ下り伝送速度を解析するステップとで構成される。
【００１９】
本発明のｘＤＳＬ伝送速度測定方法において、前記雑音の周波数特性を解析するステップは、前記雑音が周期的に変化する環境において、前記雑音が変化する周期に同期して前記周期毎に前記雑音を測定することにより、前記周期毎の前記周波数特性を解析することを含む。
【００２０】
本発明のｘＤＳＬ伝送速度測定方法において、前記雑音の種別と前記雑音元の回線数を解析するステップは、前記通信用線路（６）からの雑音と雑音モデルとのマッチング処理により前記雑音の種別と前記雑音元の回線数を解析することを含む。
【００２１】
本発明のｘＤＳＬ伝送速度測定方法において、前記ｘＤＳＬ上り伝送速度を解析するステップおよび前記ｘＤＳＬ下り伝送速度を解析するステップは、周期的に変化する漏話雑音に対応して伝送速度を変化させるｘＤＳＬ装置のｘＤＳＬ上り伝送速度を解析することおよび前記ｘＤＳＬ下り伝送速度を解析することを含む。
【００２２】
【発明の実施の形態】
以下、本発明の実施の形態を、添付図面を参照しながら説明する。
【００２３】
図１は本発明の実施の第１形態を示す。図１は、交換機１と、端末２と、測定装置３と、分析装置４と、クロック供給装置５と、通信用線路６で構成される。
【００２４】
ｘＤＳＬ伝送速度測定装置７は、測定装置３、分析装置４、クロック供給装置５で構成される部分である。
【００２５】
交換機１は通常ｘＤＳＬサービスの供給者が伝送速度試験を行なう場合に接続する加入者線交換機等の交換機である。
【００２６】
端末２はユーザーの宅内に設置される電話機等の端末である。
【００２７】
測定装置３は、交換機１を通してインパルス信号を通信用通路６に送出し、端末２で反射されたインパルス信号を受信する。さらに測定装置３は、受信したインパルス信号を測定し通信用線路６の周波数特性を解析するとともに、送信から受信までの時間を測定し通信用線路６の路線長を解析する。インパルス信号を送出、受信することにより一方向から通信用線路６の周波数特性及び路線長を測定することができる。
【００２８】
また、測定装置３は通信用線路６からの雑音を測定し、雑音の周波数特性を解析する。この雑音はｘＤＳＬ伝送における上り方向の雑音となる。
雑音の測定において雑音量が周期的に変化している場合、雑音量の周期に同期して測定を行ない、周期毎に雑音の周波数特性を解析する。雑音量の周期に同期して測定を行なう場合、クロック供給装置のクロックを参照して測定を行なうことができる。
【００２９】
分析装置４は測定装置３で測定された通信用線路６の周波数特性と周期毎の雑音の周波数特性からｘＤＳＬ上り伝送速度を解析する。ここで分析装置４は雑音量の変化する周期に合わせて伝送速度を変化させるｘＤＳＬ上り伝送速度を解析することができる。
【００３０】
また、分析装置４は測定装置３で測定された雑音からマッチング処理により雑音の種別及び雑音元の回線数を解析し雑音の原因を推定する。さらに、分析装置４は雑音の種別及び雑音元の回線数を解析し、雑音の種別及び雑音元の回線数から下り方向の雑音量を推定する。この雑音量の推定では、雑音量の周期的な変化も含む。分析装置４は推定された下り方向の雑音量と周期毎の雑音の周波数特性、通信用線路６の周波数特性、線路長等からｘＤＳＬ下り方向の伝送速度の解析を行なう。ここで分析装置４は雑音量の変化する周期に合わせて伝送速度を変化させるｘＤＳＬ下り伝送速度を解析することができる。
【００３１】
また、分析装置４はマッチング処理に使用する雑音のデータ−ベースを保有する。なお、データ−ベースは外部に接続されるものであってもよい。分析装置４のデータベースは、典型的な雑音のデータを記録したデータベースであってもよいし、典型的な雑音の組合せ、過去測定した雑音のデータ、試験データ、その他のデータ等を記録したデータベースであってもよい。また、記録しているデータを組み合わせて、測定した雑音に近いものを作成することで解析することができるものとすることもできる。
【００３２】
クロック発生装置５は、ＴＣＭ−ＩＳＤＮのバースト周期と同期したクロックを発生させ、測定装置３に供給する。発生するクロックは、ＴＣＭ−ＩＳＤＮのバースト周期に限定されず、必要に応じて雑音の変化する周期に合わせて必要なクロックを発生させることができるものとすることができる。
【００３３】
通信用線路６は、交換機１と端末２を接続する通常の電話回線等の加入者線である。
【００３４】
各構成要素の接続は図１で示す通り、分析装置４とクロック供給装置５は測定装置３に接続され、測定装置３は交換機１と接続される。また、交換機１はユーザーの端末２と通信用線路６で接続されている。
【００３５】
次に、図２を参照して、本発明の第１形態の動作を示す。
測定装置３は、交換機１を経由して、通信用線路６に対してインパルス信号を送出する（ステップＡ）。送出されたインパルス信号は端末２により反射され、交換機１を経由して測定装置３で受信される（ステップＢ）。
【００３６】
この時、測定装置３は送出した時間から端末２で反射し受信される時間までを測定することにより通信用線路６の線路長を解析する（ステップＣ）。さらに受信したインパルス信号の周波数成分を測定することにより、通信用線路６の周波数特性を解析する（ステップＤ）。
【００３７】
また、測定装置３は、通信用線路６からの雑音を測定する。この雑音はｘＤＳＬ装置の上り方向の雑音となる。さらに、この雑音量が周期的に変化している場合、その変化の周期に同期して雑音を別々に測定することで、周期毎の雑音の周波数特性を解析する（ステップＥ）。
【００３８】
例えば、想定した雑音がＴＣＭ−ＩＳＤＮからの漏話雑音の場合、雑音はＴＣＭ−ＩＳＤＮのバースト周期の半分である２００Ｈｚ毎に雑音量の多い近端漏話と雑音量の少ない遠端漏話が発生する。測定装置３は、クロック供給装置５から供給されるＴＣＭ−ＩＳＤＮのバースト周期と同期したクロックを参照し雑音を周期毎に測定する。
【００３９】
測定されたそれぞれの雑音の周波数特性と通信用線路６の周波数特性、線路長は分析装置４に送られる。分析装置４では得られた通信用線路６の周波数特性と周期毎の雑音の周波数特性により、ｘＤＳＬ上り方向の伝送速度を解析する（ステップＦ）。
【００４０】
ｘＤＳＬ装置にはＴＣＭ−ＩＳＤＮ等からの周期的に変化する漏話雑音を考慮していない方式と、デュアルマップ方式に代表されるＴＣＭ−ＩＳＤＮ等からの周期的に変化する漏話雑音を考慮した方式がある。分析装置４では、これら方式の選択を行ない選択した方式の伝送速度を解析する。すなわち、ＴＣＭ−ＩＳＤＮ等からの漏話雑音を考慮していない方式では、雑音の大きい近端漏話のみの雑音を用いて伝送速度を解析する。また、ＴＣＭ−ＩＳＤＮ等からの漏話雑音を考慮した方式では近端漏話と遠端漏話を用いて伝送速度を解析する。すなわち、雑音量の多い近端漏話の間は伝送速度を遅くし（伝送量を減らし）、雑音量の少ない遠端漏話の間は伝送量を速くする（伝送量を増やす）方式でのｘＤＳＬ上り伝送速度を解析する。なお、漏話雑音はＴＣＭ−ＩＳＤＮからのものに限られず、周期的に雑音量が変化するものであれば、周期毎の伝送速度を解析することができる。
【００４１】
さらに、分析装置４では、測定装置３で測定された雑音と、あらかじめ蓄積されたデータベースからの雑音モデルとをマッチング処理することにより、その雑音の原因を特定する。続いて分析装置４は、測定された雑音が隣接回線からの漏話が原因と判定された場合、雑音元となる回線の種別と回線数を解析する（ステップＧ）。さらに分析装置４は、この漏話の原因となる回線の種別と回線数から、宅内にモデムを設置した場合に受信するｘＤＳＬ伝送の下り方向の雑音について推定する。この雑音の推定には雑音量の周期的な変化、周期毎の雑音の周波数特性等の推定を含む。次に分析装置４は、推定された下り方向の雑音量、雑音の周波数特性、通信用線路６の周波数特性、線路長等からｘＤＳＬ下り伝送速度を解析する（ステップＨ）。
【００４２】
下り方向の伝送速度も上り方向と同様、ｘＤＳＬ装置にはＴＣＭ−ＩＳＤＮ等からの漏話雑音を考慮していない方式と、ＴＣＭ−ＩＳＤＮ等からの漏話雑音を考慮した方式があるため、これら方式の選択を行ない選択した方式の伝送速度を解析する。すなわち、ＴＣＭ−ＩＳＤＮからの漏話雑音を考慮していない方式では、雑音の大きい近端漏話のみの雑音を用いて伝送速度を解析する。また、ＴＣＭ−ＩＳＤＮからの漏話雑音を考慮した方式では、近端漏話と遠端漏話を用いて伝送速度を解析する。すなわち、雑音量の多い近端漏話の間は伝送速度を遅くし（伝送量を減らし）、雑音量の少ない遠端漏話の間は伝送量を速くする（伝送量を増やす）方式での伝送速度を解析する。漏話雑音はＴＣＭ−ＩＳＤＮからのものに限られず、周期的に雑音量が変化するものであれば、周期毎の伝送速度を解析することができる。
【００４３】
周期的に変化する雑音量に対応したｘＤＳＬ上り伝送速度及びｘＤＳＬ下り伝送速度を解析することにより、周期的に変化する雑音量に適応したｘＤＳＬ装置の伝送速度を見積もることができる。また、周期的に変化する雑音量に適応していないｘＤＳＬ装置の伝送速度も見積もることができる。
【００４４】
なお、雑音が隣接回線からの漏話と判定されない場合はｘＤＳＬの下り伝送速度の解析は不可となる（ステップＩ）。
【００４５】
なお、ｘＤＳＬ装置にはｘＤＳＬモデムを含む。
【００４６】
【発明の効果】
本発明は、周期的に雑音量が変化する環境下に対応した一方向試験ができるｘＤＳＬ伝送速度測定装置を提供することができる。
【００４７】
本発明のｘＤＳＬ伝送速度測定装置は、周期的に雑音量が変化するＴＣＭ−ＩＳＤＮ漏話雑音環境下で使用する場合のｘＤＳＬ装置の伝送速度を正確に解析することができる。
【００４８】
さらに、本発明のｘＤＳＬ伝送速度測定装置は、周期的に雑音量が変化するＴＣＭ−ＩＳＤＮ漏話雑音環境下で、雑音量の変化に適応して伝送速度を変化させるｘＤＳＬ装置の伝送速度を正確に解析することができる。
【００４９】
また、本発明のｘＤＳＬ伝送速度測定装置は、周期的に雑音量が変化するＴＣＭ−ＩＳＤＮ漏話雑音環境下で、雑音量の変化に適応していないｘＤＳＬ装置の伝送速度も正確に解析することができる。
【００５０】
本発明では、周期的に変化する雑音に同期してそれぞれの雑音を測定するため、これら雑音の中から支配的な雑音を用いてｘＤＳＬの伝送量を推定することが可能となる。さらに、周期的に変化する雑音に適応したｘＤＳＬ装置の正確な伝送量を見積もることが可能となる。
【図面の簡単な説明】
【図１】本発明の実施例の構成を示すブロック図
【図２】本発明の実施例の動作を示すフローチャート
【符号の説明】
１    交換機
２    端末
３    測定装置
４    分析装置
５    クロック供給装置
６    通信用線路
７    ｘＤＳＬ伝送速度測定装置
【図１】
0003567458.tif 000002
【図２】
0003567458.tif 000003